(57)【要約】【課題】親指を制御する長母指屈筋の力に中指を制御する深指屈筋の力が加わるようにしてグリップ力を向上させ、特に、バックハンドストローク時に、グリップの把持形状を変えることなく、威力のある返球を行うことができるためのテニス用ラケットを提供する。【解決手段】テニス用ラケット１において、フェース６と平行なグリップ９の片面側の所定位置に、グリップ９を把持した際にグリップ９に捲回される親指ｆ１が係合可能であると共に、グリップ９に捲回される中指ｆ３が親指ｆ１にも捲回できる深さに親指用係合凹部１２を形成し、さらに、この親指用係合凹部１２よりもグリップエンド１０側であってフェース６と平行なグリップ９の片面側の所定位置に、グリップ９を把持した際に、グリップ９に捲回される薬指ｆ４が係合可能な薬指用係合凹部１３を形成する。【選択図】        図１
2005073771.tif 000002
【特許請求の範囲】
【請求項１】
テニス用ラケットにおいて、
フェースと平行なグリップの片面側の所定位置に、グリップを把持した際にグリップに捲回される親指が係合可能であると共に、グリップに捲回される中指が親指にも捲回できる深さに形成された親指用の係合凹部を備えたことを特徴とするテニス用ラケット。
【請求項２】
請求項１記載のテニス用ラケットにおいて、
前記親指用の係合凹部よりもグリップエンド側であってフェースと平行なグリップの片面側の所定位置に、グリップを把持した際に、グリップに捲回される薬指が係合可能な薬指用の係合凹部を備えたことを特徴とするテニス用ラケット。
【発明の詳細な説明】
【技術分野】
【０００１】
本発明は、手で用具を把持するスポーツの用具に関し、特にテニス用ラケットに関するものである。
【背景技術】
【０００２】
テニス用ラケットのグリップを改良した従来の技術としては、図４に示すように、指（親指ｆ２１０、人差し指ｆ２２０、中指ｆ２３０、薬指ｆ２４０、小指ｆ２５０）を収容するための溝（親指収容溝２１４、中指収容溝２１３、薬指収容溝２１２、小指収容溝２１１、フォアハンドストローク用人差し指収容溝２１５、サーブ・ボレー・スマッシュ用人差し指収容溝２１６、バックハンドストローク用人差し指収容溝２１７）を有するハンドグリップに対応する形状を、前記指とストロークのタイプに正確に応じて位置決めし、前記指（ｆ２１０〜ｆ２５０）とハンドル２０９との間の接触面を拡げ、プレーヤに正しいグリップ及びストロークの会得を促進させるために有し、好ましくはテニス及びこれに類似の球技のためのスポーツ用具のハンドル２０９において、後方の前記溝（フォアハンドストローク用人差し指収容溝２１５）が、フォアハンドストロークの際に前記人差し指ｆ２２０を収容し、中間の前記溝（サーブ・ボレー・スマッシュ用人差し指収容溝２１６）がサーブ、ボレー又はスマッシュの際に前記人差し指ｆ２２０を収容し、前方の前記溝（バックハンドストローク用人差し指収容溝２１７）がバックハンドストロークの際に前記人差し指ｆ２２０を収容するように前記溝のうち３つ（フォアハンドストローク用人差し指収容溝２１５、サーブ・ボレー・スマッシュ用人差し指収容溝２１６、バックハンドストローク用人差し指収容溝２１７）が、前記人差し指ｆ２２０を収容するために前記親指ｆ２１０の前に位置し、単一の溝（親指収容溝２１４、中指収容溝２１３、薬指収容溝２１２、小指収容溝２１１）が、その他の指（親指ｆ２１０、中指ｆ２３０、薬指ｆ２４０、小指ｆ２５０）をそれぞれ収容するために設けられ、前記親指ｆ２１０の先端と前記中指ｆ２３０の先端とが互いに接触してグリップの回りに前記親指ｆ２１０及び前記中指ｆ２３０によりリング状締付体が形成されるように前記親指ｆ２１０及び前記中指ｆ２３０をそれぞれ収容する前記溝（親指収容溝２１４、中指収容溝２１３）が互いに斜め反対側に近接して配置されたことを特徴とするスポーツ用具のハンドル２０９がある（例えば、特許文献１。）。尚、この特許文献１において、テニス用ラケットのハンドル２０９は、一般には、テニス用ラケットのグリップと称されている部分である。
【０００３】
ここで、通常、テニス用ラケットのグリップの把持方法には、イースタングリップ、コンチネンタルグリップ、ウェスタングリップなどがあるが、基本的には、図５（ａ）に示すように、親指ｆ１と人差し指ｆ２と中指ｆ３と薬指ｆ４と小指ｆ５とを、グリップ９０側縁の一方の側から親指ｆ１を、また、親指ｆ１と反対側から親指ｆ１以外の４本の指を、それぞれグリップ９０に捲回するようにして把持する。図６は、親指ｆ１を曲げる動作を制御する長母指屈筋Ｌと親指ｆ１以外の４本の指（人差し指ｆ２、中指ｆ３、薬指ｆ４、小指ｆ５）を曲げる動作を制御する深指屈筋Ｐ１、Ｐ２、Ｐ３、Ｐ４の説明図であり、図６に示すように、５本の指は、それぞれ１本ずつが独立した屈筋で曲げられる。このため、図５（ａ）に示すように、ラケット１００のグリップ９０に親指ｆ１を捲回させ、他の４本の指ｆ２、ｆ３、ｆ４、ｆ５は親指ｆ１と反対側から捲回させて把持するような把持方法では、親指ｆ１を曲げる長母指屈筋Ｌの力よりも、親指ｆ１以外の４本の指ｆ２、ｆ３、ｆ４、ｆ５を曲げる４本の深指屈筋Ｐ１、Ｐ２、Ｐ３、Ｐ４を合わせた力のほうが強いことは自明である。
【０００４】
フォアハンドストロークにおいては、通常、図５（ａ）に示すように、相手打球の飛来方向と自打球の返球方向とグリップ９０の把持形状とラケット１００のスイング方向とから、相手打球を、深指屈筋Ｐ１の力が作用する人差し指ｆ２の付け根部分と、深指屈筋Ｐ２、Ｐ３、Ｐ４が内在する掌が主体となって返球することになるため、相手打球のインパクト時の衝撃は分散され、グリップ力（把持力）は安定し、威力のある返球を行うことができる。しかし、硬式テニスにおけるバックハンドストロークでは、フォアハンドストローク時のラケット１００のフェース６０と反対側のフェース６０ａを使用して返球する方法が一般的である。この際、グリップ９０の把持方法は、基本的にはフォアハンドストローク時と同様であるが、返球時のラケット１００のスイング方向はフォアハンドストロークの場合と逆になるため、グリップ９０に捲回されている親指ｆ１（すなわち、長母指屈筋Ｌ）１本の力が主体となって相手打球を返球することになる。しかし、長母指屈筋Ｌで親指ｆ１をグリップ９０に捲回する力ではグリップ力が弱く、打球のインパクト時の衝撃に充分に耐えらないので、威力のある返球ができない。
【０００５】
このため、図５（ｂ）に示すように、親指ｆ１の上から中指ｆ３を捲回させて押圧するグリップ方法もある。この方法は、親指ｆ１を中指ｆ３で押圧することにより、親指ｆ１を曲げる長母指屈筋Ｌの力に、中指を曲げる深指屈筋Ｐ２の力が加わるようにしてグリップ力を向上させる方法であり、フォアハンドストローク時のグリップ９０の把持形状を変えずにバックハンドストロークができるという利点があるが、グリップ９０と中指ｆ３と親指ｆ１との間にできる間隙が大きく、中指ｆ３親指ｆ１を充分に押圧することができないという問題がある。
【０００６】
また、図５（ｃ）に示すように、グリップ９０の握りを薄くして、捲回していた親指ｆ１を動かしてグリップ９０長手方向に延設するようにして添え、長母指屈筋Ｌが作用する力を増大させるサムアップというグリップ把持方法が取られることがある。但し、フォアハンドストローク時とバックハンドストローク時とで、グリップを握り変える必要がある。
【０００７】
また、図５（ｄ）に示すように、ツーハンドグリップという方法があり、これは片手ＲＨ（本実施例では、右手）で把持していたグリップ９０をもう一方の片手ＬＨ（本実施例では、左手）で逆方向から把持するもので、バックハンドストロークの返球時に、前記片手ＲＨの親指ｆ１の力（長母指屈筋Ｌの力）に、前記もう一方の片手ＬＨの親指ｆ１０以外の人差し指ｆ２０、中指ｆ３０、薬指ｆ４０、小指ｆ５０の４本の指の力（すなわち４本の深指屈筋Ｐ１、Ｐ２、Ｐ３、Ｐ４の力）が加わることにより、打球のインパクト時の衝撃に耐え、威力のある返球をすることができる。但し、図５（ｄ）の技術は、バックハンドストロークの技術において最も高度な技術を要する。
【０００８】
このように、グリップ力の強さは、親指を曲げる動作を制御する長母指屈筋と親指以外の４本の指（人差し指、中指、薬指、小指）の動作を制御する深指屈筋のグリップへの作用のさせ方に依存する。
【０００９】
しかしながら、上記特許文献１は、図４に示したように、親指ｆ２１０、人差し指ｆ２２０、中指ｆ２３０、薬指ｆ２４０、小指ｆ２５０の全ての指の収容溝を設け、指とハンドル２０９との接触面積を拡げることにより、ハンドル２０９を把持した際のグリップ力を強化させようとしたものであるが、前記したような長母指屈筋と深指屈筋の作用を考慮して設けられた指収容溝ではないので、特にバックハンドストローク時に深指屈筋の力を長母指屈筋に加えることができず、グリップ力を強化することができないと推論される。また、５本の指全てに対応する収容溝（２１１、２１２、２１３、２１４、２１５）に加え、人差し指ｆ２２０用の収容溝は、さらに２種類（２１６、２１７）もあり、このような多数・多種類の溝を、誰にでも対応できるような汎用性のある形状に形成することは困難である。
【特許文献１】特表平８−５０２６７７号公報
【発明の開示】
【発明が解決しようとする課題】
【００１０】
解決しようとする問題点は、特に硬式テニスのバックハンドストローク時に、従来のラケットのグリップを通常のグリップ方法で把持すると、従来のグリップ構造では、長母指屈筋で曲げる動作を制御される親指が主体となって相手打球の衝撃を受けるために、この衝撃に耐え切れずに威力のある返球ができないという点である。
【課題を解決するための手段】
【００１１】
このため本発明は、テニス用ラケットにおいて、フェースと平行なグリップの片面側の所定位置に、グリップを把持した際にグリップに捲回される親指が係合可能であると共に、グリップに捲回される中指が親指にも捲回できる深さに形成された親指用の係合凹部を備えたことを第１の特徴とする。
【００１２】
また、請求項１記載のテニス用ラケットにおいて、前記親指用の係合凹部よりもグリップエンド側であってフェースと平行なグリップの片面側の所定位置に、グリップを把持した際に、グリップに捲回される薬指が係合可能な薬指用の係合凹部を備えたことを第２の特徴とする。
【発明の効果】
【００１３】
本発明に係るテニス用ラケットによれば、テニス用ラケットのフェースと平行なグリップの片面側の所定位置に、グリップを把持した際にグリップに捲回される親指が係合可能であると共に、グリップに捲回される中指が親指にも捲回できる深さに親指用の係合凹部形成することによって、グリップに捲回された中指が親指にも確実に捲回可能になり親指を充分に押圧することによって、親指に作用する長母指屈筋の力に、中指に作用する深指屈筋の力が加わるようにしてグリップ力を向上させ、特に、バックハンドストロークにおいて、フォアハンドストローク時のグリップの把持形状を変えることなく、フォアハンドストロークと同様に威力のある返球を行うことができるという優れた効果がある。
【００１４】
さらに、前記親指用の係合凹部よりもグリップエンド側であってフェースと平行なグリップの片面側の所定位置に、グリップを把持した際に、グリップに捲回される薬指が係合可能である薬指用の係合凹部を形成し、この薬指の上から親指を捲回し、さらにその親指に前記のごとく中指を捲回させることによって、グリップ力をさらに向上させることができるという優れた効果を有する。
【発明を実施するための最良の形態】
【００１５】
以下、本発明を実施するための最良の形態を図面に示す実施例に基づいて説明する。図１は、本発明に係るテニス用ラケットの一実施例を示す説明図であり、図１（ａ）はその平面図、図１（ｂ）はそのグリップ周辺部の一部断面を示す拡大説明図である。図２は、図１の左側面から見たグリップ周辺部の拡大説明図である。図３は、本発明に係るテニス用ラケットのグリップを把持する方法の説明図である。図４は、従来技術の一実施例を示す説明図である。図５は、従来のテニス用ラケットのグリップの把持方法である。図６は、指を曲げる動作を制御する屈筋の説明図である。
【００１６】
図１に示すように、本発明に係るテニス用ラケット１は、楕円形のフレーム２と、このフレーム２の長手方向に連接された略Ｙ字形状のスロート部３と、このスロート部３から垂下された略八角形のラケット軸４とが一体形成されており、これらの部材には、一般的に、カーボン、カーボンを黒鉛化処理したグラファイトなどの繊維強化合成樹脂が使用される。フレーム２には縦横にガット（ストリングス）５が張られ、格子状のフェース６が形成される。このガット５の素材には、羊の腸で作られたものや、ナイロンなどが使われる。ラケット軸４には、グリップエンド１０（グリップの端部）からスロート部３近傍の所定の位置まで発泡合成樹脂製の芯部７が貼着され、さらに、その芯部７の上に、合成皮革又は天然皮革の巻皮８が螺旋状に捲回されて、グリップ９が形成されている。グリップエンド１０には、グリップエンド端部の略八角形の形状に合わせたキャップ１１が装着されている。
【００１７】
また、グリップ９には、フェース６と平行な片面側で、且つ、グリップ９中央よりもグリップエンド１０側に親指用係合凹部１２が形成され、また、この親指用係合凹部１２と同じ側のフェース６と平行なグリップ９の片面側で、且つ、親指用係合凹部１２よりもグリップエンド１０側に、薬指用係合凹部１３が形成されている。尚、グリップ９を把持した際に、捲回する薬指ｆ４と小指ｆ５のバランスを取るために、薬指用係合凹部１３に連設して、グリップエンド１０側に薬指用係合凹部１３と同様の小指用係合凹部を形成してもよい。
【００１８】
親指用係合凹部１２と薬指用係合凹部１３は、図２に示すように、それぞれ凹状に削り取られた芯部７の上から、巻皮８を螺旋状に捲回して形成されている。親指用係合凹部１２と薬指用係合凹部１３の深さや幅は、巻皮８が捲回された状態で、それぞれの指がグリップ９にしっかりと係合される深さと幅に形成されればよい。本実施例では、親指用係合凹部１２の深さＤ１は、約６ｍｍに形成され、幅Ｗ１は約２５ｍｍに形成されている。また、薬１３指用係合凹部１３の深さＤ２は、親指用係合凹部１２の深さの半分の約３ｍｍに形成され、幅Ｗ２は、約１５ｍｍに形成されている。芯部７を削り取る量（すなわち、芯部７の深さ）は、巻皮８の厚さによって調整される。小指用係合凹部を形成する場合は、薬指用係合凹部の形状（深さＤ２、幅Ｗ２）と略等しく形成される。尚、親指用係合凹部１２の深さＤ１は、親指が係合可能な５ｍｍ〜７ｍｍの範囲の深さに形成されていればよい。
【００１９】
このように形成することで、図３（ａ）に示すように、グリップ９を把持した際に、グリップ９に捲回される親指ｆ１を親指用係合凹部１２にコの字型に係合することができると共に、グリップに捲回される中指ｆ３を親指ｆ１にも確実に捲回することができ、捲回した中指ｆ３で親指ｆ１を押圧することによって、親指ｆ１に作用する長母指屈筋Ｌ（図６参照）の力に中指ｆ３に作用する深指屈筋Ｐ２（図６参照）の力が加わるようになり、グリップ力を確実に向上させることができる。
【００２０】
さらに、図３（ｂ）に示すように、グリップ９を把持した際に、グリップ９に捲回される薬指ｆ４が薬指用係合凹部１３に係合され、薬指ｆ４の上から親指ｆ１を捲回し、さらにその親指ｆ１に前記のごとく中指ｆ３を捲回させることによって、グリップ力をさらに向上させることができる。
【００２１】
図３（ｃ）は、係合凹部が形成されていないグリップ９１を把持した状態を示す説明図である。図３（ｃ）に示すように、係合凹部が形成されていないグリップ９１を把持すると、親指ｆ１に中指ｆ３を捲回させても、親指ｆ１と中指ｆ３とグリップ９１との間に間隙が発生し、また、親指ｆ１もコの字型に曲げることができず、安定した把持形状が形成されない。
【００２２】
以上説明したように、特に、バックハンドストロークにおいて、フォアハンドストローク時のグリップ９の把持形状を変えることなく、相手打球の衝撃に充分に耐え、フォアハンドストロークと同様に威力のある返球を行うことができる。尚、本発明に係るテニス用ラケット１を構成する部材の材質や素材は、本実施例に限定されるものではない。また、本発明は、硬式テニスラケットに限定されるものでなく、軟式テニスラケットやその他の手で用具を把持するスポーツ用具に実施可能である。
【図面の簡単な説明】
【００２３】
【図１】本発明に係るテニス用ラケットの一実施例を示す説明図である。
【図２】図１の要部拡大説明図である。
【図３】発明に係るテニス用ラケットのグリップを把持する方法の説明図である。
【図４】従来技術の一実施例を示す説明図である。
【図５】従来のテニスラケットのグリップの把持方法の説明図である。
【図６】指を曲げる動作を制御する屈筋の説明図である。
【符号の説明】
【００２４】
１、１００                テニス用ラケット
２                        フレーム
３                        スロート部
４                        ラケット軸
５                        ガット
６、６０、６０ａ          フェース
７                        芯部
８                        巻皮
９、９０、９１、２０９    グリップ
１０                        グリップエンド
１１                        キャップ
１２                        親指係合凹部
１３                        薬指係合凹部
２１１                        小指収容溝
２１２                        薬指収容溝
２１３                        中指収容溝
２１４                        親指収容溝
２１５                        フォアハンドストローク用人差し指収容溝
２１６                        サーブ・ボレー・スマッシュ用人差し指収容溝
２１７                        バックハンドストローク用人差し指収容溝
Ｄ１                        親指係合凹部の深さ
Ｄ２                        薬指係合凹部の深さ
ｆ１、ｆ１０、ｆ２１０      親指
ｆ２、ｆ２０、ｆ２２０      人差し指
ｆ３、ｆ３０、ｆ２３０      中指
ｆ４、ｆ４０、ｆ２４０      薬指
ｆ５、ｆ５０、ｆ２５０      小指
Ｌ                          長母指屈筋
ＬＨ                        もう一方の片手（左手）
Ｐ１、Ｐ２、Ｐ３、Ｐ４      深指屈筋
ＲＨ                        片手（右手）
Ｗ１                        親指係合凹部の幅
Ｗ２                        薬指係合凹部の幅
【図１】
2005073771.tif 000003
【図２】
2005073771.tif 000004
【図３】
2005073771.tif 000005
【図４】
2005073771.tif 000006
【図５】
2005073771.tif 000007
【図６】
2005073771.tif 000008